(57)【要約】【課題】照明を取り付けるために天井パネルに設けた開口部を封止するパッキンの取付作業が容易な浴室ユニットを提供する。【解決手段】浴室ユニット１００は、天井パネル９５に照明１が取り付けられている。天井パネル９５は、照明１が嵌め込まれる三角形状の開口部７０を有している。照明１は、開口部７０の周縁部の下面に対向するフランジ部を有している。フランジ部には、開口部７０を囲むようにパッキンが配設されている。パッキンは開口部７０の周縁部とフランジ部に押圧される。開口部７０は、頂点部が丸みを帯びた形状としてある。【選択図】図１
2018053628.tif 000002
【特許請求の範囲】
【請求項１】
天井パネルに照明が取り付けられている浴室ユニットにおいて、
前記天井パネルは、前記照明が嵌め込まれる多角形状の開口部を有し、
前記照明は、前記開口部の周縁部の下面に対向するフランジ部、および前記開口部を囲むように前記フランジ部に配設されており、前記開口部の周縁部と前記フランジ部に押圧されるパッキンを有し、
前記開口部は、頂点部が丸みを帯びた形状としてあることを特徴とする浴室ユニット。
【請求項２】
前記開口部は、三角形状であり、
前記照明は、高さ方向に交差する断面が三角形状であることを特徴とする請求項１に記載の浴室ユニット。
【請求項３】
前記照明の外側面における頂部は、前記開口部の頂点部の丸みより小さい丸みを帯びた形状としてあることを特徴とする請求項２に記載の浴室ユニット。
【請求項４】
前記照明は、前記開口部の周縁部を押圧する板状のばねを有し、
前記ばねは、前記照明の外側面における頂部寄りに配設されていることを特徴とする請求項２または３に記載の浴室ユニット。
【発明の詳細な説明】
【技術分野】
【０００１】
本発明は、浴室ユニットに関する。
【背景技術】
【０００２】
浴室ユニットは、湯を溜める浴槽と、浴槽の手前側に設けた洗い場床を有する。浴室ユニットは、周囲を壁パネル、上方を天井パネルで覆われている。浴室ユニット内の空間には、浴槽のほか、シャワー装置、カウンターおよび鏡等の備品や照明が設けられており、ユーザがより快適に浴室ユニットを利用するための工夫がなされている。
【０００３】
例えば、特許文献１には、直角に隣接した２つの壁パネルのコーナー部分に照明を設けた浴室ユニットが開示されている。照明は、コーナー部分に設置される照明用台座、円弧状の側面を持つ透光カバー、および壁パネルと照明カバーとの間に設けられる隙間埋板を有する。透光カバーは、２つの壁パネルに設置された同形状の隙間埋板に取り付けられている。
【先行技術文献】
【特許文献】
【０００４】
【特許文献１】特開２００３−２６３９１９号公報
【発明の概要】
【発明が解決しようとする課題】
【０００５】
特許文献１に記載の浴室ユニットでは、照明が浴室内へ張り出しているため、浴室ユニット内の空間が狭くなるという問題点があった。また、照明の透光カバーは、円弧状の側面に加えて上面および下面を有しているため、清掃が煩雑になるという問題点もあった。ここで、浴室ユニット内の空間を広くし、透光カバーの清掃の作業性を改善するために、天井パネルに照明を埋め込むことが考えられる。
【０００６】
天井パネルに照明を埋め込む場合、天井パネルには、照明の光出射部と同じ形状に切り欠いた開口部が設けられる。開口部は、照明を取り付けた状態で隙間が生じないように、周縁部がパッキンで封止される。例えば照明の光出射部が矩形であり、天井パネルの開口部を同形状の矩形とした場合、該矩形の各辺に対応する４本のパッキンを用いる必要があり、部品点数が多くなり、パッキンの取付作業が煩雑になるという問題点があった。
【０００７】
本発明は、斯かる事情に鑑みてなされたものであり、その目的とするところは、照明を取り付けるために天井パネルに設けた開口部を封止するパッキンの取付作業が容易な浴室ユニットを提供することにある。
【課題を解決するための手段】
【０００８】
本発明に係る浴室ユニットは、天井パネルに照明が取り付けられている浴室ユニットにおいて、前記天井パネルは、前記照明が嵌め込まれる多角形状の開口部を有し、前記照明は、前記開口部の周縁部の下面に対向するフランジ部、および前記開口部を囲むように前記フランジ部に配設されており、前記開口部の周縁部と前記フランジ部に押圧されるパッキンを有し、前記開口部は、頂点部が丸みを帯びた形状としてあることを特徴とする。
【０００９】
本発明にあっては、浴室ユニットは、天井パネルに照明が取り付けられている。天井パネルは、照明が嵌め込まれる多角形状の開口部を有している。照明は、開口部の周縁部の下面に対向するフランジ部を有している。フランジ部には、開口部を囲むようにパッキンが配設されている。パッキンは、開口部の周縁部とフランジ部に押圧される。開口部は頂点部が丸みを帯びた形状としてあるので、頂点部が丸みを帯びた経路上にパッキンを配設することができ、パッキンの取付作業が容易になる。
【発明の効果】
【００１０】
本発明によれば、頂点部が丸みを帯びた経路上にパッキンを配設することができ、パッキンの取付作業が容易になる。
【図面の簡単な説明】
【００１１】
【図１】実施形態に係る浴室ユニットの外観を示す斜視図である。
【図２】天井パネルに取り付けた照明の上方から見た斜視図である。
【図３】天井パネルに取り付けた照明の下方から見た斜視図である。
【図４】透光カバーを取り外した照明の下方から見た斜視図である。
【図５】天井パネルにおける開口部の上方から見た斜視図である。
【図６】天井パネルにおける開口部の下方から見た斜視図である。
【図７】照明本体の外観を示す斜視図である。
【図８】照明本体の取付作業を説明するための模式図である。
【発明を実施するための形態】
【００１２】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態）
図１は実施形態に係る浴室ユニット１００の外観を示す斜視図である。浴室ユニット１００は、湯を溜める浴槽９０、該浴槽９０前側に設けた洗い場床９１、壁パネル９２、シャワー装置８、および照明１を有する。浴槽９０および洗い場床９１は、四方を壁パネルによって囲まれている。洗い場床９１に接する壁パネル９２には、カウンター９３および鏡９４などのユーザが身体を洗い流す際に利用する備品類が取り付けられている。天井パネル９５は、壁パネル９２および他の壁パネルの上部に連結し、浴室ユニット１００の上方を覆うように設けられている。
【００１４】
シャワー装置８は、湯水供給部８０、シャワーヘッド８１およびスライドバー装置８２を有する。湯水供給部８０は、水量調節つまみや温度調節つまみ等を有し、シャワーヘッド８１に供給する湯水の温度および水量を調節可能としている。シャワーヘッド８１は、ホース８３によって湯水供給部８０に接続されており、湯水供給部８０から湯水が供給される。シャワーヘッド８１には多数の小孔からなる吐水口が設けられており、ユーザの身体を洗い流す湯水を該吐水口から吐出する。
【００１５】
シャワーヘッド８１は、スライドバー装置８２によって上下方向に摺動可能に保持されており、ユーザの嗜好に応じて高さを調節できるようになっている。シャワー装置８は、壁パネル９２の横方向における中央部から浴室ユニット１００内側の一端部までの間に設けられている。
【００１６】
スライドバー装置８２は、壁パネル９２の上下方向における中央部やや洗い場床９１寄りの位置から天井パネル９５付近まで延びるスライドバー８２ａを有し、スライドバー８２ａ上に摺動可能に保持されるフックにシャワーヘッド８１が掛け止められる。スライドバー８２ａは、軸線が直線状、または壁パネル９２側で凸状となるように湾曲しており、上部に向かうにつれて、壁パネル９２から離れるように設けられている。
【００１７】
シャワー装置８は、スライドバー８２ａの上端部にフックを位置させることで、シャワーヘッド８１を入浴者の頭部の上方または斜め上方に高く位置させることができる。シャワーヘッド８１を高く位置させた状態で、入浴者は、立った姿勢で頭の上から湯水を浴びるオーバーヘッドシャワー浴を行うことができる。
【００１８】
照明１は、壁パネル９２の上部における天井パネル９５の隅部に配設されている。照明１は、壁パネル９２におけるシャワー装置８が設けられた側と横方向に反対側の他端部の上方における天井パネル９５に配設されている。天井パネル９５は、照明１を埋設するために切り欠いた開口部７０を隅部に有する。
【００１９】
開口部７０は、可能な限り隅部に寄せて設けることで、シャワー装置８から照明１を離間させることができ、オーバーヘッドシャワー浴中に上方を向いた入浴者にとって照明１が眩しくならないようにしてある。天井パネル９５は、隅部の強度を保つために、開口部７０の縁部を残す必要があり、天井パネル９５の厚みおよび重量にもよるが、例えば数ｃｍから十数ｃｍ程度の縁部が設けられる。
【００２０】
図２は天井パネル９５に取り付けた照明１の上方から見た斜視図であり、図３は天井パネル９５に取り付けた照明１の下方から見た斜視図である。照明１は、照明本体１１および透光カバー１２を有する。照明本体１１は、天井パネル９５に設けられた開口部７０に、浴室ユニット１００の内側から挿入するようにして取り付けられている。本実施形態においては、照明本体１１を三角錐台状としているため、開口部７０は三角形状に切り欠かれている。照明本体１１の形状は三角錐台状に限らず、任意の多角形状の底面部分を有する錐台または柱状であってもよく、開口部７０は照明本体１１の底面部分の形状に合わせて天井パネル９５を切り欠いて形成される。
【００２１】
照明本体１１は、下部に設けた４本の板状のばね３０が天井パネル９５の開口部７０を押圧することによって開口部７０に保持されており、ばね３０の先端部が開口部７０の周縁部上面に張り出すことによって脱落が防止されている。
【００２２】
透光カバー１２は、白色等に着色された薄肉の樹脂製であり、照明本体１１の下面側を覆う。透光カバー１２は、平坦な三角形状に形成されており、天井パネル９５に平行に取り付けられている。透光カバー１２は、三角形状の二つの側辺部１２ａおよび１２ｂが壁パネル９２および壁パネル９２に隣接する他の壁パネルに平行に、他の一の側辺部１２ｃが浴室内を臨むように配設されている。尚、透光カバー１２の形状は、照明本体１１の形状に合わせて任意の多角形状としてもよく、また、平坦であることには多少の丸みを帯びた形状も含まれる。
【００２３】
透光カバー１２は、壁パネル９２の上部における天井パネル９５の隅部に配設されている。透光カバー１２は、壁パネル９２におけるシャワー装置８が設けられた側と横方向に反対側の他端部の上方における天井パネル９５に配設されている。
【００２４】
図４は、透光カバー１２を取り外した照明１の下方から見た斜視図である。照明１は、照明本体１１の下面側に形成された三角形状に開口する光出射部１１ａを有しており、内部にＬＥＤ電球等の光源１３を有する。光源１３は、反射面を構成する三角錐台状の内側面１４によって囲繞されている。光源１３から発せられた光は、内側面１４によって反射され、光出射部１１ａから下方に向けて出射される。
【００２５】
図５は天井パネル９５における開口部７０の上方から見た斜視図であり、図６は天井パネル９５における開口部７０の下方から見た斜視図である。天井パネル９５は、浴室の内面を形成する鋼板製等の薄板９５ａに、該薄板９５ａより厚い石膏ボード製等の芯材９５ｂが貼り合わされている。
【００２６】
開口部７０は、天井パネル９５を三角形状に切り欠いて形成されているが、浴室内側の薄板９５ａにおける開口部７０の頂点部７０ａが丸みを帯びた形状となっている。一方、浴室外側の芯材９５ｂは、開口部７０の頂点部７０ｂが頂点部７０ａと比較して角張った形状となっている。薄板９５ａ側の頂点部７０ａは、芯材９５ｂ側の頂点部７０ｂよりも内側にあるため、開口部７０の周縁部における下面は丸みを帯びた頂点部が形成されている。
【００２７】
開口部７０の周縁部における下面には、後述する照明本体１１に取り付けられたパッキン３１が押圧される。パッキン３１は開口部７０を囲むように環状に照明本体１１に配設されており、図６の二点鎖線で示すパッキン当接経路７１にパッキン３１が接触し、押圧される。
【００２８】
図７は照明本体１１の外観を示す斜視図である。照明本体１１は、下部の全周において側方に張り出すフランジ部１１ｂを有する。フランジ部１１ｂは、天井パネル９５の開口部７０よりも外側に広い。フランジ部１１ｂの上面は、天井パネル９５の開口部７０の周縁部の下面に対向し、照明本体１１が取り付けられた状態で、開口部７０の周縁部の下面に接触する。
【００２９】
フランジ部１１ｂの上面には、全周に亘って、パッキン３１を配設するための溝１１ｃが形成されている。フランジ部１１ｂに形成された溝１１ｃの経路は、全体として三角形状に設けられ、経路の頂点部は丸みを帯びた形状としてある。パッキン３１は、弾性を有する例えば軟質樹脂製であり、断面が矩形状である１本の直線状の部材である。パッキン３１は、溝１１ｃの頂点部の丸みに沿うように湾曲させつつ、溝１１ｃに嵌め込まれる。パッキン３１の断面形状は、矩形状に限らず、円形状、楕円形状または半円形状であってもよい。パッキン３１は、溝１１ｃの頂点部で丸みを持って配設されるので、しわができ難く、しわによって生じる隙間からの水の侵入を防止できる。
【００３０】
照明本体１１は、高さ方向に交差する断面が三角形状である三角錐台状に形成されている。照明本体１１の外側面における頂部１１ｄは、開口部７０の頂点部７０ａの丸みよりも小さい丸みを帯びた形状としている。
【００３１】
照明本体１１の下部には、外側面から突出し、高さ方向に延びる台座１１ｅが各頂部１１ｄ寄りの位置に設けられている。板状のばね３０は、台座１１ｅの上部に固定されている。ばね３０は、台座１１ｅに固定された基端部から、台座１１ｅに沿って下方に延び、上方へＶ字状に屈曲させた後、中途部を下方側が凹状となるように湾曲させてある。尚、照明本体１１が天井パネル９５の開口部７０に嵌め込まれた状態において、ばね３０は、湾曲した中途部が天井パネル９５を下方に押圧し、照明本体１１の脱落を防止する。また、照明本体１１の下部には、側辺部分を補強するための補強リブ１１ｆおよび１１ｇが設けられている。補強リブ１１ｆは、照明本体１１の外側面から突出するように複数設けられている。補強リブ１１ｇは、外側面に略平行に横方向に延び、複数の補強リブ１１ｆの先端部および台座１１ｅが接続されている。照明本体１１の下部は、補強リブ１１ｆおよび１１ｇ、ならびに台座１１ｅによって剛性が高くなり、ばね３０によって発生する荷重に対する変形が抑制される。
【００３２】
次に、浴室ユニット１００の動作について説明する。シャワー装置８は、フックをスライドバー８２ａの上端部に位置させてシャワーヘッド８１を高く位置させた状態で、入浴者は、立った姿勢で頭の上から湯水を浴びるオーバーヘッドシャワー浴を行うことができる。入浴者がオーバーヘッドシャワー浴中に顔に湯水をかけるために上方を向いたとき、視線の方向は概ねシャワーヘッド８１の方向に向けられるが、明るく光る照明１の透光カバー１２が、入浴者の目から遠い天井パネル９５の隅部にあるため、照明１の眩しさを抑制することができる。
【００３３】
また、透光カバー１２は、平坦状であるため、壁パネル９２を広く利用することができ、さらには清掃作業が容易となる。また、透光カバー１２は、三角形状であるため、側辺部１２ｃが壁パネル９２から隣接する壁パネル側に向かう直線状に形成されている。このため、隣接する壁パネル側に向かうほど、透光カバー１２の側辺部１２ｃは入浴者の視野から外れていくので、より眩しさが抑制される。
【００３４】
例えば、透光カバー１２が四角形状であり、浴室内部を臨む側に二つの直交する側辺部を有して角部が形成されていると、該角部が暗くなる明暗が現れてしまい、入浴者は、透光カバー１２に対する違和感を抱き、不快な印象を受けてしまう可能性がある。本実施形態に係る透光カバー１２は、三角形状であり、浴室内部を臨む側辺部１２ｃが直線状であるため、側辺部１２ｃがほぼ一様に明るい。このため、入浴者が天井部分を含めて浴室内部を眺めたときに、透光カバー１２に対する違和感が少なく、不快な印象を受け難い。
【００３５】
次に、照明本体１１の取付作業について説明する。図８は照明本体１１の取付作業を説明するための模式図である。照明本体１１を開口部７０に嵌め込む前に、パッキン３１を照明本体１１におけるフランジ部１１ｂの溝１１ｃに取り付ける作業を行う。パッキン３１は、一本の直線状の部材を適宜湾曲させて、フランジ部１１ｂの溝１１ｃの経路に沿って配設する。
【００３６】
溝１１ｃの経路は、上述のように三角形状であり、頂点部における経路は丸みを帯びているので、丸みを帯びた経路に沿うようにパッキン３１を湾曲させ、溝１１ｃに配設することができる。このため、パッキン３１は、鋭角に折り曲げる等の過度な変形をすることなく、一本の部材を湾曲させて配設できるので、取付作業が容易になる。
【００３７】
照明本体１１は、パッキン３１を取り付けた後、ばね３０を照明本体１１側へ押し付けて、上部側から開口部７０へ挿入する。この際、開口部７０の頂点部７０ａが丸みを帯びているので、照明本体１１が頂点部７０ａに噛み込んでしまうことがなく、照明本体１１に傷が付き難い。また、照明本体１１の頂部１１ｄは、開口部７０の頂点部７０ａよりも小さい丸みを帯びているので、傷が付き難い。
【００３８】
照明本体１１は、ばね３０が頂部１１ｄ寄りの位置に設けた台座１１ｅに取り付けられているので、ばね３０を照明本体１１側へ押し付けた状態で発生する荷重に対する変形が抑制される。
【００３９】
照明本体１１は、上方へ押し込むことで開口部７０に嵌まり込んで保持される。このとき、照明本体１１におけるフランジ部１１ｂに配設したパッキン３１は、図６に示すパッキン当接経路７１に接触し、天井パネル９５における開口部７０の周縁部の下面と、フランジ部１１ｂとに挟まれて変形する。パッキン３１は、変形することによって開口部７０の周縁部の下面とフランジ部１１ｂに密着し、照明本体１１と開口部７０とを隙間なく封止する。
【００４０】
照明本体１１が天井パネル９５の開口部７０に嵌め込まれた状態において、ばね３０は、湾曲した中途部が天井パネル９５を下方に押圧し、照明本体１１の脱落を防止する。
【００４１】
次に、実施形態の浴室ユニット１００の特徴を説明する。
本発明の実施形態の浴室ユニット１００は、天井パネル９５に照明１が取り付けられている。天井パネル９５は、照明１が嵌め込まれる多角形状（実施形態においては三角形状）の開口部７０を有している。照明１は、開口部７０の周縁部の下面に対向するフランジ部１１ｂを有している。フランジ部１１ｂには、開口部７０を囲むようにパッキン３１が配設されている。パッキン３１は開口部７０の周縁部とフランジ部１１ｂに押圧される。開口部７０は、頂点部７０ａが丸みを帯びた形状としてあるので、頂点部が丸みを帯びた経路上にパッキン３１を配設することができ、パッキン３１の取付作業が容易になる。
【００４２】
また浴室ユニット１００は、天井パネル９５に設けた開口部７０が三角形状である。照明１は、高さ方向に交差する断面が三角形状である。これにより、照明１を開口部７０嵌め込む際に、照明本体１１が頂点部７０ａに噛み込んでしまうことがなく、照明本体１１に傷が付き難い。
【００４３】
また浴室ユニット１００は、照明本体１１の外側面における頂部１１ｄが、開口部７０の頂点部７０ａの丸みより小さい丸みを帯びた形状としてある。これにより、照明本体１１の頂部１１ｄは、開口部７０に嵌め込む際に傷が付き難い。
【００４４】
また浴室ユニット１００は、照明１が開口部７０の周縁部を押圧する板状のばね３０を有している。ばね３０は、照明本体１１の外側面における頂部１１ｄ寄りに配設されている。これにより、照明本体１１は、ばね３０によって発生する荷重に対する変形が抑制される。
【００４５】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４６】
１  照明、  １１ｂ  フランジ部、  ３０  ばね、  ３１  パッキン、
７０  開口部、  ９５  天井パネル、  １００  浴室ユニット。
【図１】
2018053628.tif 000003
【図２】
2018053628.tif 000004
【図３】
2018053628.tif 000005
【図４】
2018053628.tif 000006
【図５】
2018053628.tif 000007
【図６】
2018053628.tif 000008
【図７】
2018053628.tif 000009
【図８】
2018053628.tif 000010